(57)【要約】  実質的に平行六面体の形状である紙巻き煙草パケットが、２つの側面（７、８）の一方に沿って延びる縦方向のヒンジ（１９）によって互いに連結されている２つの部分（１７、１８）に分割されている外側包装材（３）を備え、各部分（１７、１８）は、限定された数の紙巻き煙草（２）で満たされる同様に平行六面体である関連の箱（２２）を収容する大きさにされている区画（２０、２１）を形成する。箱（２２）の頂部末端と接触する閉位置と、箱（２２）が前記縦方向のヒンジ（１９）上で自由に揺動して互いに分離することができる開位置との間を、横方向のヒンジ（１６）の上で旋回可能である蓋（１０）が、その外側包装材（３）の頂部に付けられている。
2008525279.tif 000002
【特許請求の範囲】
【請求項１】
煙草製品のためのパケットであって、
このパケットが、実質的に平行六面体の外観でありかつ縦軸線（４）に関係している外側包装材（３）を備え、前記外側包装材は、前記縦軸線（４）に対して平行に配置されている大きい方の前部壁（５）および大きい方の後部壁（６）と、前記大きい方の壁（５、６）に対して直角に配置されている２つの小さい方の壁すなわち側面の壁（７、８）と、前記軸線（４）に対して横方向に配置されている底部末端壁（９）とを備えることと、
前記外側包装材（３）は、前記２つの側面（７、８）の一方に一致する連結要素に沿って延びる縦方向の折り目線（１９）を介して互いに連結されている少なくとも２つの部分（１７、１８）の形に分割されていることと、
前記外側包装材（３）の各々の部分（１７、１８）は、前記縦軸線（４）に対して平行に配置されている１組の煙草製品（２）を収容する実質的に平行六面体である箱（２２）を収容すること
とを特徴とするパケット。
【請求項２】
前記折り目線（１９）は、前記２つの箱がその上で互いに対して相対的に回転可能である縦方向のヒンジ（１９）を提供する請求項１に記載のパケット。
【請求項３】
前記後部壁（６）に関連付けられている関連した横方向のヒンジ線（１６）に沿って前記外側包装材（３）に連結されており、かつ、前記内側の箱（２２）の対応する末端と接触している閉位置と、前記箱（２２）が互いに対して相対的に回転可能にされている開位置との間を移動可能である、ヒンジ式の蓋（１０）を備える請求項１または２に記載のパケット。
【請求項４】
各々の箱（２２）は、前記外側包装材の前記底部（９）から反対側の末端に位置している取り外し可能な部分（２８）である閉鎖要素を備える請求項１から３のいずれか一項に記載のパケット。
【請求項５】
前記取り外し可能な部分（２８）は、頂部末端（２７）と、前記箱（２２）が有する２つの大きい方の壁（２４）の一方の上に刻み付けられている関連した輪郭線（５４）によって画定されている、前記頂部末端（２７）に隣接している少なくとも１つのフラップ（２８′）とを備える請求項４に記載のパケット。
【請求項６】
前記取り外し可能な部分（２８）は、前記箱（２２）の底部末端（２６）に対して反対側に位置した横方向の壁である頂部末端（２７）と、前記箱（２２）が有する２つの大きい方の壁（２４）の一方の上に刻み付けられている関連した輪郭線（５４）によって各々が画定されている、前記頂部末端（２７）に隣接している２つのフラップ（２８′）とを備える請求項４に記載のパケット。
【請求項７】
前記連結要素を介して互いに連結されているそれぞれの第１および第２の箱（２２）を収容するような大きさにされているそれぞれの第１および第２の区画（２０、２１）を形成する２つの部分（１７、１８）に分割された外側包装材（３）を備え、および、前記第１および第２の区画（２０、２１）は、それぞれに、前記前部壁（５）と、前記底部（９）の第１の部分（９ａ）と、前記連結要素を提供する前記側面（８）とは反対側に位置した側面（７）の第１の部分（７ａ）との組合せにおいて、かつ、前記後部壁（６）と、前記底部（９）の第２の部分（９ｂ）と、前記連結要素を提供する前記側面（８）とは反対側に位置した前記側面（７）の第２の部分（７ｂ）との組合せにおいて、前記連結要素を提供する前記側面（８）によって画定されている請求項１から６のいずれか一項に記載のパケット。
【請求項８】
３つの部分（１７、１８、６１）に分割されている外側包装材（３）を備え、前記外側包装材（３）の第１および第２の部分（１７、１８）は、第１および第２の箱（２２）を収容する第１および第２の区画（２０、２１）を形成し、および、第３の部分（６１）は、前記第１および第２の区画（２０、２１）の間に挿入されておりかつ第３の箱（２２）を収容する第３の区画（６０）を形成し、前記第１および第２の部分（１７、１８）と前記第２および第３の部分（１８、６１）は、前記外側包装材（３）の互いに反対側に位置した側面（８、７）に沿って延びるそれぞれのヒンジ線（１９、６２）を介して連結されている請求項１から６のいずれか一項に記載のパケット。
【請求項９】
前記第１の区画（２０）は、前記前部壁（５）との組合せにおいて前記連結要素を提供する第１の側面（８）と、前記底部（９）の第１の部分（９ａ）と、前記連結要素を提供する前記側面（８）に対して反対側に位置している側面（７）の第１の部分（７ａ）とによって画定されており、一方、前記第２の区画（２１）は、前記後部壁（６）との組合せにおいて前記連結要素を提供する前記側面壁（８）と、前記底部（９）の第２の部分（９ａ）と、前記連結要素を提供する前記側面（８）に対して反対側に位置している側面（７）の第２の部分（７ｂ）とによって画定されている請求項８に記載のパケット。
【請求項１０】
前記第３の区画（６０）は、前記第１および第２の区画（２１、２０）の間の前記連結要素を提供する前記側面（８）に対して反対側に位置している前記側面（７）を介して、前記第２の区画（２１）に連結されている請求項９に記載のパケット。
【請求項１１】
前記第３の区画（６０）は、前記第１および第２の区画（２１、２０）の間の前記連結要素を提供する前記側面（８）に対して反対側に位置している前記側面（７）を介して、前記第１の区画（２０）に連結されている請求項９に記載のパケット。
【請求項１２】
前記外側包装材（３）は、前記第２の区画（２１）と前記第１の区画（２０）とを連結する前記側面（８）に対して反対側に位置している前記側面（７）に沿って、突き出している前記側面（７）の部分（７ａ、７ｂ）を前記箱（２２）のそれぞれの側面（２５）に結合する破断可能なシール手段（５７）を備えている請求項１から１１のいずれか一項に記載のパケット。
【請求項１３】
破断可能なシール手段（５７）は、前記側面に沿って縦方向に刻み付けられている線（５８）である請求項１２に記載のパケット。
【請求項１４】
破断可能なシール手段（５７）は、前記側面に沿って縦方向に刻み付けられておりかつ取り外し可能なストリップ（５９）を画定する２つの線（５８）である請求項１２に記載のパケット。
【請求項１５】
破断可能なシール手段（５７）は取り外し可能な接着要素である請求項１２に記載のパケット。
【請求項１６】
前記外側包装材（３）は、包装材料の平らなブランク（２９、６３、６４）から得られることが可能であり、前記ブランクは：
前記前部壁（５）と前記後部壁（６）にそれぞれに一致する、互いに対して平行でありかつ前記パケットの前記縦軸線（４）に対して平行である縦軸線（４′、４″）に関係する、両方とも実質的に長方形の外観である第１のパネル（５′）および第２のパネル（６′）と；
縦方向の折り目線（３０、３１）を介して前記第１および第２のパネル（５′、６′）に連結されており、かつ、前記外側包装材（３）の第１の側面（８）に一致する第３のパネル（８′）と；
それぞれの縦方向の折り目線（３２、６６）を介して連結されており、かつ、前記外側包装材（３）の前記第２の側面（７）に一致する、前記第３のパネル（８′）に対して反対側に位置している側面上の、前記第１のパネル（５′）または前記第２のパネル（６′）に関連付けられている第４のパネル（７′）と；
組み合わさって前記外側包装材（３）の前記底部（９）を形成する、前記第１のパネル（５′）にそれぞれの横方向の折り目線（３３）に沿って連結されている少なくとも１つの横方向の末端フラップ（９′ａ）、および、前記第２のパネル（６′）にそれぞれの横方向の折り目線（３４）に沿って連結されている少なくとも１つの横方向の末端フラップ（９′ｂ）と；
横方向および縦方向の折り目線によってかつスリット切れ目によって互いに分離させられている複数のパネルおよびフラップを備え、かつ、組み合わさって前記蓋（１０）を形成する、前記蓋（１０）の前記横方向のヒンジ（１６）に一致する横方向の折り目線（１６′）に沿って前記第２のパネル（６′）に連結されている第５のパネル（１０′）と；
を備える請求項１から１５のいずれか一項に記載のパケット。
【請求項１７】
前記箱（２２）の各々は、優位を占める縦軸線（４７）に関係する実質的に長方形の輪郭の平らなブランク（４６）から得られることが可能であり、前記ブランク（４６）は、複数の横方向の折り目線（４８、４９、５０、５１）と２つの縦方向の折り目線（５２、５３）とを有しており、前記複数の横方向の折り目線（４８、４９、５０、５１）と２つの縦方向の折り目線（５２、５３）とは：
前記箱（２２）の前記大きい方の側壁（２４）に一致する第１および第２のパネル（２４′）と、前記第１および第２のパネル（２４′）の間に挿入されておりかつ前記底部末端（２６）に一致する帯状部分（２６′）と、互いに組み合わさって前記頂部末端（２７）を形成する２つの末端フラップ（２７′）と、各パネル（２４′）に対して前記縦方向の折り目線（５２、５３）に沿って連結されておりかつ対の形で組み合わさって前記箱（２２）の前記側面（２５）を形成する２つの縦方向のフラップ（２５′）と、前記中間帯状部分（２６′）の互いに反対側に位置した末端に配置されている対応する横方向および縦方向のＬ字形スリット切れ目（２６″）によって画定されている、前記底部末端（２６）に対して締め付け固定可能な１対の閉鎖舌片（２５″）とを、組み合わせて画定する、請求項１６に記載のパケット。
【請求項１８】
前記ブランク（４６）の前記互いに反対側に位置した末端は、互いに組み合わさってかつ前記末端フラップ（２７′）と組み合わさって前記閉鎖要素を形成する、「Ｕ」字形のそれぞれの刻み付けられている輪郭線（５４）によって生じさせられる、横方向の軸線の両側に対称的に配置されている２つの取り外し可能な部分（５５）を有する請求項１７に記載のパケット。
【請求項１９】
前記第３のパネル（８′）は前記連結要素を提供し、および、前記２つの箱（２２）がその上で互いに対して相対的に回転可能にされる前記縦方向のヒンジ（１９）に一致する少なくとも１つの縦方向の折り目線（１９′）を有する請求項７に従属している請求項１６に記載のパケット。
【請求項２０】
前記第４のパネル（７′）は、前記破断可能なシール手段（５７）を提供する取り外し可能なストリップ（５９）を有する請求項１９に記載のパケット。
【請求項２１】
ブランク（６３）から得られることが可能であり、前記ブランク（６３）の前記第３のパネル（８′）は連結要素を提供していて、前記連結要素は、単一の箱（２２）の深さの３倍よりもわずかに大きい横方向の寸法を有し、かつ、前記第１の折り目線（６５）と少なくとも１つの前記第２の折り目線（１９′）とによって分割されている、その連結要素がそれによって前記第２のパネル（６′）に連結されている前記縦方向の折り目線（３１）から出発する連続した３つの縦方向の帯状部分（８′ｂ、８′ｃ、８′ａ）として出現していて、および、前記第２の折り目線（１９′）は、前記第１および第２の箱（２２）がその上で互いに対して相対的に回転可能にされている前記ヒンジ（１９）に一致しており、および、前記第４のパネル（７′）は、それぞれの縦方向の折り目線（６６）に沿って前記第２のパネル（６′）に連結されており、かつ、前記第２および第３の箱（２２）がその上で互いに対して相対的に回転可能にされている前記ヒンジ線（６２）を有し、および、前記第１のパネル（５′）は、前記第４のパネル（７′）と組み合わさって前記外側包装材（３）の前記第２の側面（７）を形成する縦方向の末端フラップ（７′ａ）を有し、および、前記第２のパネル（６′）は、刻み付けられている横方向の穿孔線（６７）に沿って前記第１の末端フラップ（９′ｂ）に連結されており、かつ、前記第３の区画（６０）の前記底部（９）に一致する、さらに別の横方向の末端フラップ（９′ｃ）を有する請求項１０に従属している請求項１６に記載のパケット。
【請求項２２】
ブランク（６４）から得られることが可能であり、前記ブランク（６４）の前記第３のパネル（８′）は連結要素を提供していて、前記連結要素は、単一の箱（２２）の深さの３倍よりもわずかに大きい横方向の寸法を有し、かつ、少なくとも１つの第１の折り目線（１９′）と第２の折り目線（６５）とによって分割されている、その連結要素がそれによって前記第２のパネル（６′）に連結されている前記縦方向の折り目線（３１）から出発する連続した３つの縦方向の帯状部分（８′ｂ、８′ｃ、８′ａ）として出現していて、および、前記第１の折り目線（１９′）は、前記第１および第２の箱（２２）がその上で互いに対して相対的に回転可能にされている前記ヒンジ（１９）に一致しており、および、前記第４のパネル（７′）は、それぞれの縦方向の折り目線（３２）に沿って前記第１のパネル（５′）に連結されており、かつ、前記第２および第３の箱（２２）がその上で互いに対して相対的に回転可能にされている前記ヒンジ線（６２）を有し、および、前記第２のパネル（６′）は、前記第４のパネル（７′）と組み合わさって前記外側包装材（３）の前記第２の側面（７）を形成する縦方向の末端フラップ（７′ａ）を有し、および、前記第１のパネル（５′）は、刻み付けられている横方向の穿孔線（６７）に沿って前記第１の末端フラップ（９′ａ）に連結されており、かつ、前記第３の区画（６０）の前記底部（９）に一致する、さらに別の横方向の末端フラップ（９′ｄ）を有する請求項１１に従属している請求項１６に記載のパケット。
【発明の詳細な説明】
【技術分野】
【０００１】
本発明は煙草製品のためのパケットに関する。
【０００２】
特に、本発明は紙巻き煙草のパケットに関する。
【背景技術】
【０００３】
従来の技術は、箱として具体化された外側包装材と、この箱にヒンジ式に取り付けられている蓋と、さらには、この箱に部分的に固定されておりかつこの箱が閉じられる時に蓋を適正にかつ安定した形で所定の位置に保つ役割を果たす補剛フレームとを備える、堅固なヒンジ蓋タイプの紙巻き煙草パケットを含む。
【０００４】
この箱は、金属箔紙である内側包装材で包まれている１組の紙巻き煙草を収容する。
【０００５】
このようなパケットに関連している欠点の１つが、その内容物に手を届かせるために蓋を開けて内側包装材の一部分を取り外した後では、１組の紙巻き煙草全体が周囲空気に対して露出させられたままであり、したがって、最後の１本がパケットから取り出されるまで不適切に保護されることになり、および、この不適切な保護の期間中に、香りと湿気の損失と、したがって官能的な属性の損失が生じているということである。
【０００６】
さらに別の欠点が、層の形に配置されている複数の紙巻き煙草によって紙巻き煙草の組が形成されているので、少数の単一の紙巻き煙草が取り出されると、残りの紙巻き煙草は互いに分離して箱の内側で移動する傾向があり、この結果として煙草がそれぞれの紙巻き煙草の末端から抜け落ちることになるという事実にある。
【発明の開示】
【発明が解決しようとする課題】
【０００７】
本発明の目的は、上述の欠点を克服することである。
【課題を解決するための手段】
【０００８】
上述の目的は、添付されている特許請求項１、または、特許請求項１に直接的または間接的に従属している後続のいずれかの特許請求項に説明されている、煙草製品のためのパケットにおいて、本発明によって実現される。
【０００９】
以下では、本発明を、添付図面を参照しながら例示のために詳細に説明する。
【発明を実施するための最良の形態】
【００１０】
図面の図１から図１２では、番号１が、紙巻き煙草２のような煙草製品のためのパケットをその全体において示す。図示されているパケット１は、堅固であり、ヒンジ式の蓋を有し、および、縦軸線４に関係する実質的に平行六面体の形状の外側包装材３を備える。この包装材３は、（これらの図で見た場合に）それぞれに前と後ろにある２つの大きい方の側壁５、６と、その大きい方の側壁に対して垂直にかつ軸線４に対して平行に延びる２つの小さい方の側部すなわち側面７、８と、軸線４に対して横方向に配置されている底部側壁９とを有する。
【００１１】
外側包装材３は、さらに、前部壁１１と後部壁１２と２つの側面１３、１４と頂部末端壁１５とを有する蓋１０を備える。この蓋１０は、軸線４に対して横方向に延びるヒンジ線１６に沿って包装材３の後部壁６に取り付けられており、および、外側包装材３の閉位置（図１、図５および図９を参照されたい）と開位置（図２、図３、図４、図６、図７、図８および図１０を参照されたい）との間を移動することが可能である。
【００１２】
図１、図２および図３から認識できるように、外側包装材３は、２つの別個の部分１７、１８から構成されており、番号８で示されている側面がこの２つの部分の間の連結要素として機能し、かつ、折り目線１９を有し、および、この折り目線１９に沿って上述の部分１７、１８が縦方向にヒンジ式に連結されており、かつ、したがって、これらの部分１７、１８は、図２に示されている閉位置と図３に示されている開位置との間を互いに対して相対的に回転することが可能である。
【００１３】
この２つの部分１７、１８は、第１の区画が番号２０で示されかつ第２の区画が番号２１で示されている２つの別々の区画を形成する役割を果たし、これらの２つの区画は、互いに同一であるそれぞれの平行六面体の箱２２を収容するような大きさにされており、および、これらの区画の各々は、パケットの軸線４に対して軸線が平行であるように配置されておりかつ金属箔紙の内側包装材２３によって取り囲まれている、単一の列の紙巻き煙草２を収容する。
【００１４】
さらに明確に述べると、第１の区画２０は、ヒンジ１９と前部壁５との間に位置する側面８の第１の部分８ａと、底部９の一部分９ａと、他方の側面７の一部分７ａとの組合せにおいて、前部壁５によって画定されている。同様に、第２の区画２１は、ヒンジ１９と後部壁６との間に位置する側面８の第２の部分８ｂと、底部９の一部分９ｂと、他方の側面７の一部分７ｂとの組合せにおいて、後部壁６によって画定されている。
【００１５】
図２と図１７を参照すると、各々の箱２２は、外側包装材３の縦方向の寸法に実質的に等しい縦方向の寸法と、側面７、８の幅の半分に実質的に等しい横方向の寸法すなわち深さとを有し、および、２つの大きい方の壁２４と、２つの小さい方の壁すなわち側面２５と、底部２６と、頂部２７とによって画定されている。
【００１６】
第１の区画２０の内側では、１つの箱２２が、１つの大きい方の壁２４を介して包装材３の前部壁５に接触しており、かつ、さらには、この箱自体の２つの側面２５を介して側面７、８の２つの関連部分７ａ、８ａに接触しており、かつ、この箱自体の底部末端２６を介して底部９の関連部分９ａに接触している形で、ブレスト（ｂｒｅａｓｔ）されている。
【００１７】
第２の区画２０の内側では、別の箱２２が、１つの大きい方の壁２４を介して包装材３の後部壁６に接触しており、さらに、この箱自体の２つの側面２５を介して側面７、８の２つの関連した部分７ｂ、８ｂに接触しており、および、この箱自体の底部末端２６を介して底部９の関連した部分９ｂに接触している形で、ブレストされている。
【００１８】
この２つの箱２２は、対応する区画２０、２１に接着剤層によって固定されており、および、図１と図２に示されているように、１つの大きい方の壁２４を介して互いに接触するようにブレストされている。これに加えて、箱２２の頂部末端は、取り外し可能な部分すなわち閉鎖要素２８を含み、および、実質的に蓋１０（図１）の頂部１５に接触する箇所に向かって、外側包装材３の側壁５、６、７および８の端縁を越えて突き出る。
【００１９】
蓋１０が開いている時には、２つの箱２２は、上述の縦方向のヒンジ１９上で回転させられて、本のように開かれることが可能である。頂部２７と少なくとも１つのフラップ２８′とを含む取り外し可能な部分２８の１つを取り外すことによって、関連した箱２２の内側が露出させられることが可能であり、および、紙巻き煙草２が取り出されることが可能である。
【００２０】
図１３を参照すると、外側包装材３は、包装材料の平らな打抜きブランク２９内に一連の折り目を生じさせることによって形成される。場合に応じて、ブランク２９を形成する部分が、外側包装材３の対応する部分を識別するために使用される番号と同じ番号（ダッシュ付き）を使用して、本説明の中で示されている。
【００２１】
平らなブランク２９が、両方とも実質的に長方形であり、かつ、平行な縦軸線４′、４″に関係しており、かつ、包装材３の上述の前部壁５と後部壁６とに一致する第１のパネル５′と第２のパネル６′と、さらに、第１および第２のパネル５′、６′の間に挿入されておりかつそれぞれの縦方向の折り目線３０、３１に沿ってこれらのパネルに連結されている第３のパネル８′とを備える。このパネル８′は、上述の連結要素と、外側包装材３の第１の側面８との両方を構成する。
【００２２】
ブランク２９は、さらに、直角台形の輪郭を有する第４のパネル７′と、さらに、２つの横方向末端フラップ９ａ′、９ｂ′とを備え、この第４のパネル７′は、第３のパネル８′に対して第１のパネル５′の反対側に対称的に配置されており、および、それぞれの折り目線３２に沿って第１のパネル５′に連結されており、および、外側包装材３の第２の側面７と一致し、および、２つの横方向の末端フラップ９ａ′、９ｂ′は、それぞれに横方向の折り目線３３、３４を介して第１のパネル５′と第２のパネル６′とに関連付けられており、および、組み合わさって外側包装材３の底部９を形成する。
【００２３】
最後に、ブランク２９は、上述した蓋１０の横方向のヒンジ線に一致する横方向折り目線１６′に沿って第２のパネル６′に連結されている第５のパネル１０′を備える。
【００２４】
第５のパネル１０′は、３つの横方向の折り目線３５、３６、３７と、２つの縦方向の折り目線３８、３９と、２対のスリット切れ目４０、４１とを有し、および、これらの折り目線とスリット切れ目とによって、この第５のパネル１０′は、蓋１０′の後部壁１２に一致する横方向パネル１２′と、蓋１０の頂部１５に一致する横方向パネル１５′と、蓋１０の前部壁１１に一致する別のパネル１１′と、最後に、前部壁１１のための補剛層として機能するパネル４２とに分割される。２対のスリット切れ目４０、４１は、上述のパネル１１′、１２′、１５′に関連付けられており、かつ、組み合わさって蓋１０の側面１３を形成するフラップ４３、４４、４５を両側において切り離す役割を果たす。
【００２５】
最後に、第３のパネル８′は、上述した縦方向ヒンジ１９に一致する少なくとも１つの縦方向の折り目線１９′を有する。
【００２６】
図１４を参照すると、平行六面体の箱２２は、番号４６で示されている包装材料の平らな打抜きブランクから形成されている。
【００２７】
このブランク４６を形成する諸部分は、上述のブランク２９に関して採用された基準と同じ基準によって番号付けられている。
【００２８】
番号４７で示されている縦軸線に関係する実質的に長方形の輪郭を有する平らなブランク４６は、４つの横方向の折り目線４８、４９、５０、５１と、２つの縦方向の折り目線５２、５３とが刻み付けられており、および、この２つの縦方向の折り目線５２、５３は、この４つの横方向の折り目線と組み合わさって、大きい方の壁２４に一致する第１および第２の主パネル２４′と、底部末端２６に一致する中間の帯状部分２６′と、重ね合わされる時に組み合わさって頂部末端２７を形成する２つの末端フラップ２７′と、主パネル２４′の各々に関連付けられており、かつ、それぞれに重ね合わされる時に組み合わさって箱２２の小さい方の壁すなわち側面２５を形成する、番号２５′で示されている複数の対の縦方向フラップとを形成する。
【００２９】
複数の対の横方向および縦方向のスリット切れ目２６″が、中間帯状部分２６′の両方の末端に配置されており、および、これらのスリット切れ目２６″は文字「Ｌ」を形成し、かつ、箱の側面２５と底部末端２６とを互いに固定するそれぞれの閉鎖舌片（ｃｌｏｓｕｒｅ  ｔｏｎｇｕｅ）２５″を形成する働きをする。
【００３０】
ブランク４６は、さらに、頂部末端２７と上述の閉鎖フラップ２８′とに一致する２つの取り外し可能な部分５５を画定するように、互いに反対側に位置した２つの末端の各々に１つずつ、横方向の軸線の両側に対称的に配置されている「Ｕ」字形の２つの刻み付けられた輪郭線５４を有する。実際には、この２つの部分５５は、互いに組み合わさって、かつ、末端フラップ２７′と組み合わさって、箱２２の取り外し可能な部分２８を形成する。
【００３１】
部分５５の各々は、取り外し可能な部分２８を把持し取り外す段階を容易にするように設計されている半円形の開口５６を有する。
【００３２】
図１を参照すると、外側包装材３の２つの部分１７、１８は、この第２の側面７に沿って延びる縦方向のミシン目線５８の形状である破断可能なシール手段５７によって閉じた状態に一体状に保持されている。さらに明確に述べると、シール手段５７は、取り外し可能なストリップ５９を形成する２つのこうしたミシン目線である。
【００３３】
図示されていないこのパケットの別の実施形態では、このような破断可能なシール手段５７は、取り外し可能な接着要素の形状をとるだろう。
【００３４】
図４の例では、２つの内側の箱２２の一方、さらに明確に述べると、第１の区画２０を占める箱２２が、２列の紙巻き煙草２を収容し、および、したがって、第２の区画２１を占める隣接した箱２２の横方向の寸法すなわち深さ寸法の実質的に２倍の横方向寸法すなわち深さ寸法を有する。
【００３５】
図５から図１２の例では、外側包装材３は３つの部分に分割され、３つの平行六面体の箱２２を保持するための区画を形成する。
【００３６】
さらに明確に述べると、第１の側面８を構成する連結要素によって互いに関連付けられておりかつそれぞれの箱２２によって各々が占められている第１の区画２０と第２の区画２１は、外側包装材３の第３の部分６１によって与えられかつ第３の箱２２を収容する中間の第３の区画６０を形成するように互いに分離させられている。
【００３７】
一方、第３の区画６０は、同様に縦方向のヒンジ６２を構成する少なくとも１つのミシン目線を有する第２の側面７を介して、第２の区画２１（図８）または第１の区画２０（図１２）に連結されている。
【００３８】
図８の例では、この別のヒンジ６２は、最初に説明したヒンジ１９を中心として同一の第２の部分１８に対して相対的に第１の部分１７が回転する方向とは反対の方向において、第３の部分６１が第２の部分１８に対して相対的に回転することを可能にする。
【００３９】
図１２の例では、この別のヒンジ６２は、第１の部分１７が第２の部分１８に対して相対的に回転する方向と同じ方向において、第３の部分６１が第１の部分１７に対して相対的に回転することを可能にする。
【００４０】
各々のヒンジ１９、６２が、実際には、箱２２の互いに対する相対的な回転を容易にするように設計されている２つのそれぞれの折り目線から成ることが理解されるだろう。
【００４１】
図５および図６と図９および図１０とに示されているパケット１の外側包装材３は、図１５と図１６に示されているそれぞれの平らな型抜きブランク６３、６４を折り曲げることによって形成される。
【００４２】
これらのブランク６３、６４の場合には、第３のパネル８′と第４のパネル７′との幅、したがって、外側包装材３の側面８、７の幅が、１つの箱２２の深さの３倍よりもわずかに大きい。
【００４３】
さらに明確に述べると、図１５のブランク６３は、第３のパネル８′によって与えられる連結要素が、第１の折り目線６５と第２の折り目線１９′とによって区分されている、番号３１で示されている折り目線から始まる連続した３つの縦方向帯状部分８′ｂ、８′ｃ、８′ａを有するということにおいて、図１３のブランク２９とは異なっている。この第２の折り目線１９′は、第１および第２の箱２２の間のヒンジ１９に一致する。
【００４４】
第４のパネル７′は、番号６６で示されている折り目線に沿って第２のパネル６′に連結されており、および、上述の別のヒンジ線６２を提供し、および、このヒンジ線６２によって、その第４のパネル７′が、折り目線６６に対して隣接している帯状部分７′ｂと、折り目線６６から離れている帯状部分７′ｃとに分割されており、および、この折り目線６６に沿って第２および第３の箱２２が互いに連結されている。
【００４５】
第１のパネル５′は、番号７′ａで示されている縦方向の末端フラップを有し、および、第４のパネル７′と組み合わさって外側包装材３の第２の側面７を形成する。
【００４６】
最後に、第２のパネル６′は、刻み付けられている穿孔線６７によって第１の末端フラップ９′ｂに連結されておりかつ第３の区画６０の底部を形成する別の横方向の末端フラップ９′ｃを有し、および、この第２のパネル６′の上述の帯状部分７′ｃ、８′ｃとがこれらの側面を与える。
【００４７】
図１６のブランク６４は、第３のパネル８′によって与えられる連結要素が、第１の折り目線１９′と第２の折り目線６８とによって区分されている、番号３１で示されている折り目線から始まる連続した３つの縦方向の帯状部分８′ｂ、８′ｃ、８′ａを有するということにおいて、図１３のブランク２９とは異なっている。この第１の折り目線１９′は、第１および第２の箱２２の間のヒンジ１９に一致する。
【００４８】
第４のパネル７′は、番号３２で示されている折り目線に沿って第１のパネル５′に連結されており、および、上述のヒンジ線６２を提供し、および、このヒンジ線６２によって、その第４のパネル７′が、折り目線３２に対して隣接している帯状部分７′ｂと、折り目線３２から離れている帯状部分７′ｃとに分割され、および、この折り目線３２に沿って第２および第３の箱２２が互いに連結されている。
【００４９】
第２のパネル６′は、第４のパネル７′と組み合わさって外側包装材３の第２の側面７を形成する、番号７′ａで示されている縦方向の末端フラップを有する。
【００５０】
最後に、第５のパネル５′は、刻み付けられた穿孔線６７を介して第１の末端フラップ９′ａに連結されておりかつ第３の区画６０の底部を形成する別の横方向の末端フラップ９′ｄを有し、および、この第５のパネル５′の上述の帯状部分７′ｃ、８′ｃとがこれらの側面を与える。
【００５１】
このように説明されておりかつ添付図面に図示されている紙巻き煙草パケットは、ヒンジ式の蓋を有する堅固なタイプであり、この紙巻き煙草パケットでは、箱２２と外側包装材３とが鋭いコーナーエッジを有するが、本発明の開示内容が任意の特定のタイプの箱と外側包装材とに適用可能であり、および、こうした任意の特定のタイプの箱と外側包装材は、（図示されていない）別の実施形態においては、幾つかの丸みのあるまたは斜角を付けられた縦方向および／または横方向のコーナーエッジを有する形に形成されてもよいということが明らかだろう。図１と図４と図５と図９とを参照すると、例えば、縦方向のコーナーエッジは、直角をなしているのではなく、丸みがあるかまたは斜角を付けられており、または、（特許出願ＥＰ−Ａ１−０７６４５９５に開示されている紙巻き煙草パケットの形状を採用する場合に）、長い方の横方向のコーナーエッジ（底部９と大きい方の側壁５、６とがそれに沿って連結されている）が、直角をなしているのではなく、丸みがあるかまたは斜角を付けられているだろう。あるいは、代案として、選択された縦方向のコーナーエッジと選択された横方向のコーナーエッジとが、直角をなしているのではなく、丸みがあるかまたは斜角を付けられている縦方向のコーナーエッジと横方向のコーナーエッジの両方を含むように、直角をなしているのではなく、丸みがあるかまたは斜角を付けられているだろう。
【００５２】
最後に、図面には図示されていない本発明の別の実施形態では、パケット１は、特許出願ＥＰ−Ａ１−１０６６２０５に開示されている紙巻き煙草パケットの外観を有することも可能である。この例では、大きい方の側壁５と側壁６との各々が実質的に凸状の輪郭を有し、および、この凸状の輪郭は、平らな中央部分と、この平らな中央部分と合体しており、かつ、鈍角の輪郭のそれぞれの鋭いコーナーエッジに沿って側面７、８に連結されている、２つのプレクリーズ（ｐｒｅｃｒｅａｓｅｄ）でかつ湾曲させられている横方向の部分とを有する。
【００５３】
図５と図９の実施形態では、特に、上述の形状構成が、パケット１を形成する１つまたは複数の箱２２のために採用されることが可能である。
【図面の簡単な説明】
【００５４】
【図１】図１は、特定の形状構成の形で示されている、本発明によるパケットの第１の実施形態を示す斜視図である。
【図２】図２は、別の形状構成の形で示されている、本発明によるパケットの第１の実施形態を示す斜視図である。
【図３】図３は、さらに別の形状構成の形で示されている、本発明によるパケットの第１の実施形態を示す斜視図である。
【図４】図４は、図１のパケットの第２の実施形態を示す斜視図である。
【図５】図５は、特定の形状構成の形で示されている、本発明によるパケットの第３の実施形態を示す斜視図である。
【図６】図６は、別の形状構成の形で示されている、本発明によるパケットの第３の実施形態を示す斜視図である。
【図７】図７は、さらに別の形状構成の形で示されている、本発明によるパケットの第３の実施形態を示す斜視図である。
【図８】図８は、さらに別の形状構成の形で示されている、本発明によるパケットの第３の実施形態を示す斜視図である。
【図９】図９は、本発明によるパケットの第４の実施形態を示す斜視図である。
【図１０】図１０は、本発明によるパケットの第４の実施形態を示す斜視図である。
【図１１】図１１は、さらに別の形状構成の形で図６のパケットを示す斜視図である。
【図１２】図１２は、さらに別の形状構成の形で図６のパケットを示す斜視図である。
【図１３】図１３は、図１、図５および図９のパケットがそれから形成されるブランクを示す平面図である。
【図１４】図１４は、図１、図５および図９のパケットがそれから形成されるブランクを示す平面図である。
【図１５】図１５は、図１、図５および図９のパケットがそれから形成されるブランクを示す平面図である。
【図１６】図１６は、図１、図５および図９のパケットがそれから形成されるブランクを示す平面図である。
【図１７】図１７は、図１に示されているパケットの斜視分解組立図である。
【図１】
2008525279.tif 000003
【図２】
2008525279.tif 000004
【図３】
2008525279.tif 000005
【図４】
2008525279.tif 000006
【図５】
2008525279.tif 000007
【図６】
2008525279.tif 000008
【図７】
2008525279.tif 000009
【図８】
2008525279.tif 000010
【図９】
2008525279.tif 000011
【図１０】
2008525279.tif 000012
【図１１】
2008525279.tif 000013
【図１２】
2008525279.tif 000014
【図１３】
2008525279.tif 000015
【図１４】
2008525279.tif 000016
【図１５】
2008525279.tif 000017
【図１６】
2008525279.tif 000018
【図１７】
2008525279.tif 000019
【国際調査報告】
2008525279.tif 000020
2008525279.tif 000021